(57)【要約】【課題】バーナ本体（Ａ）に固定される止め板（５）に、棒状の炎検知器（ＴＣ）と点火電極（Ｉ）を上下向きに固定する構造に於いて、炎検知器（ＴＣ）や点火電極（Ｉ）の固定状態の安定性を向上させると共に、必要部品数を少なくできるようにする。【解決手段】前記止め板（５）は、中央起立板（５４）の水平方向の両端部から互いに表裏反対方向に屈曲する第１，第２屈曲板（５５）（５６）を備えており、前記中央起立板（５４）に開設されたバネ挿通口（５４０）を表裏に貫通するバネ部材（４）の長手方向の両端が、前記第１，第２屈曲板（５５）（５６）の夫々に設けられた第１，第２係合部（５５０）（５６１）に各別に着脱自在に係合され、前記第１，第２屈曲板（５５）（５６）の夫々と前記中央起立板（５４）との境界の各コーナ部内面と前記バネ部材（４）によって前記炎検知器（ＴＣ）と点火電極（Ｉ）が各別に挟圧保持されること。【選択図】    図１
2004317076.tif 000002
【特許請求の範囲】
【請求項１】
止め板に、棒状の炎検知器（ＴＣ）と点火電極（Ｉ）を上下向きに固定する構造に於いて、
前記止め板は、中央起立板と該中央起立板の水平方向の両端部から互いに表裏反対方向に屈曲する第１屈曲板と第２屈曲板を備えており、
前記中央起立板に開設されたバネ挿通口を表裏に貫通するバネ部材の長手方向の両端が、前記第１，第２屈曲板の夫々に設けられた第１，第２係合部に各別に着脱自在に係合され、
前記第１，第２屈曲板の夫々と前記中央起立板との境界の各コーナ部内面と前記バネ部材によって前記炎検知器（ＴＣ）と点火電極（Ｉ）が各別に挟圧保持される、ガスコンロに於ける炎検知器及び点火電極の固定構造。
【請求項２】
請求項１に記載のガスコンロに於ける炎検知器及び点火電極の固定構造に於いて、
前記バネ挿通口は、前記中央起立板の上辺又は下辺に開放しており、
前記第１係合部は、前記バネ部材の一端を挿抜自在に差し込む為に前記第１屈曲板に形成された透孔であり、
前記第２係合部は、前記第２屈曲板の水平方向の先端に開放する水平スリット部と、該水平スリット部の奥端部から上方又は下方に屈曲するバネ係合スリット部とから構成されている、ガスコンロに於ける炎検知器及び点火電極の固定構造。
【請求項３】
請求項１に記載のガスコンロに於ける炎検知器及び点火電極の固定構造に於いて、
前記バネ挿通口は、前記中央起立板の上辺又は下辺に開放しており、
前記第１係合部は、前記第１屈曲板に形成され且つ前記バネ挿通口の前記開放方向と同方向に開放する上下スリット部と、該上下スリット部の奥端部から横方向へ延長されたバネ係合スリット部とから構成されており、
前記第２係合部は、前記第２屈曲板に形成され且つ前記バネ挿通口の前記開放方向と同方向に開放する上下スリット部と、該上下スリット部の奥端部から横方向へ延長されたバネ係合スリット部とから構成されている、ガスコンロに於ける炎検知器及び点火電極の固定構造。
【請求項４】
請求項１から請求項３の何れかに記載のガスコンロに於ける炎検知器及び点火電極の固定構造に於いて、
前記バネ部材は、一端が折り返されてツマミ部となった線状バネである、ガスコンロに於ける炎検知器及び点火電極の固定構造。
【請求項５】
請求項１から請求項３の何れかに記載のガスコンロに於ける炎検知器及び点火電極の固定構造に於いて、
前記バネ部材は、二本の平行な直線部の一端が繋がったＵ字状バネである、ガスコンロに於ける炎検知器及び点火電極の固定構造。
【請求項６】
請求項１から請求項３の何れかに記載のガスコンロに於ける炎検知器及び点火電極の固定構造に於いて、
前記バネ部材は、一方に長い帯状の板バネである、ガスコンロに於ける炎検知器及び点火電極の固定構造。
【発明の詳細な説明】
【０００１】
【発明の属する技術分野】
本発明は、ガスコンロに用いられるコンロ用バーナの近傍に、炎検知器及び点火電極を固定する構造に関するものである。
【０００２】
【従来の技術】
図５は、従来のガスコンロのケーシング（図示せず）内に配設されるコンロ用バーナの分解斜視図である。
燃料ガスと一次空気を混合するベンチュリ（１）の下流端から屈曲起立する円筒状頭部（１２）には、バーナボディ（２）が取付ビス（２０）（２０）で取付けられるようになっており、これらベンチュリ（１）とバーナボディ（２）によってバーナ本体（Ａ）が構成されている。
【０００３】
バーナボディ（２）の上面中央部には、円筒状のバーナヘッド装着筒（２１）が隆起していると共に、該バーナヘッド装着筒（２１）の上端のバーナヘッド歯載置面（２４）には、バーナヘッド（３）が歯（３１）部分で載置されるようになっている。
【０００４】
更に、バーナボディ（２）に装着されるバーナヘッド（３）の下面には、中央筒（３３）と、その外側の炎孔形成用の歯（３１）（３１）と、点火及び炎監視用の炎孔を形成する補助歯（３２）（３２）と、後述の点火電極（Ｉ）に対応する放電用ターゲット（３４）が設けられている。
【０００５】
又、バーナボディ（２）のバーナヘッド歯載置面（２４）には、ベンチュリ（１）に取付けられた炎検知器（ＴＣ）や点火電極（Ｉ）を挿通させる為の挿通切欠（２９）が上下に貫通している。
【０００６】
前記炎検知器（ＴＣ）や点火電極（Ｉ）は、これらを挟持するプラグホルダ（６１）（６２）によって止め板（５）に取付けられている。このプラグホルダ（６１）（６２）は、バネ板を二つ折りに屈曲させたものであり、その屈曲中央部に位置する差込頭部（６５）と、該差込頭部（６５）の基端側に連続し且つ互いに対向する円弧状の湾曲挟持部（６６）（６６）を備えている。
【０００７】
このものでは、上記プラグホルダ（６１）（６２）の差込頭部（６５）（６５）を止め板（５）の保持孔（５１）（５２）に嵌入した後、湾曲挟持部（６６）（６６）に炎検知器（ＴＣ）や点火電極（Ｉ）を強制的に嵌入する。すると、炎検知器（ＴＣ）や点火電極（Ｉ）がプラグホルダ（６１）（６２）を介して止め板（５）の保持孔（５１）（５２）部分に取付けられる。
【０００８】
【特許文献１】
特許第２５６６７１４号公報
【特許文献２】
特開平６−１８５７２４号
【０００９】
【発明が解決しようとする課題】
しかしながら、上記従来のものでは、プラグホルダ（６１）（６２）の一端が開放しているから、湾曲挟持部（６６）（６６）で挟持された炎検知器（ＴＣ）や点火電極（Ｉ）に対して前記開放部側に外力が作用すると、これらが湾曲挟持部（６６）（６６）から脱出し、点火電極（Ｉ）がバーナヘッド（３）の下面の放電用ターゲット（３４）に対向しなくなると共に、炎検知器（ＴＣ）が炎監視用の炎孔（補助歯（３２）（３２）の配設部）に対向しなくなり、これにより、点火や炎監視の精度低下を招来する。このように、上記従来のものでは、外力に対して炎検知器（ＴＣ）や点火電極（Ｉ）が不安定であるという問題があった。
【００１０】
又、プラグホルダ（６１）（６２）が、炎検知器（ＴＣ）と点火電極（Ｉ）の夫々に対して各別に必要となるから、その分、部品点数が多くなるという問題もあった。
【００１１】
本発明は、かかる点に鑑みて成されたもので、
『止め板に、棒状の炎検知器（ＴＣ）と点火電極（Ｉ）を上下向きに固定する構造』に於いて、炎検知器（ＴＣ）や点火電極（Ｉ）の固定状態の安定性を向上させると共に、必要部品数を少なくできるようにすることを課題とする。
【００１２】
【課題を解決するための手段】
［１項］
上記課題を解決するための本発明の技術的手段は、
『前記止め板は、中央起立板と該中央起立板の水平方向の両端部から互いに表裏反対方向に屈曲する第１屈曲板と第２屈曲板を備えており、
前記中央起立板に開設されたバネ挿通口を表裏に貫通するバネ部材の長手方向の両端が、前記第１，第２屈曲板の夫々に設けられた第１，第２係合部に各別に着脱自在に係合され、
前記第１，第２屈曲板の夫々と前記中央起立板との境界の各コーナ部内面と前記バネ部材によって前記炎検知器（ＴＣ）と点火電極（Ｉ）が各別に挟圧保持される』ことである。
上記技術的手段によれば、上下姿勢で取付けられる棒状の炎検知器（ＴＣ）と点火電極（Ｉ）が、第１屈曲板と第２屈曲板の夫々と中央起立板との境界の各コーナ部内面とバネ部材によって挟圧抱持される。これにより、炎検知器（ＴＣ）と点火電極（Ｉ）の一方が、上記コーナ部の稜線に沿う態様で、第１屈曲板と中央起立板とバネ部材の三者で挟圧される。これにより、既述従来のプラグホルダ（６１）（６２）の一端の開放部（点火電極（Ｉ）等の脱落原因になる部分）に相当するものが無くなる。又、他方の炎検知器（ＴＣ）又は点火電極（Ｉ）が，第２屈曲板と中央起立板とバネ部材の三者で挟圧される。従って、炎検知器（ＴＣ）等が平面板とバネ部材の二者で挟圧される場合に比べて、固定状態が安定する。
【００１３】
又、炎検知器（ＴＣ）と点火電極（Ｉ）の２つの部品を単一のバネ部材で固定するから、これら炎検知器（ＴＣ）と点火電極（Ｉ）の夫々に対してプラグホルダ（６１）（６２）が各別に必要であった既述従来のものに比べて必要部品点数が少なくなる。
【００１４】
［２項］
前記１項に於いて、
『前記バネ挿通口は、前記中央起立板の上辺又は下辺に開放しており、
前記第１係合部は、前記バネ部材の一端を挿抜自在に差し込む為に前記第１屈曲板に形成された透孔であり、
前記第２係合部は、前記第２屈曲板の水平方向の先端に開放する水平スリット部と、該水平スリット部の奥端部から上方又は下方に屈曲するバネ係合スリット部とから構成されている』ものでは、次の様に炎検知器（ＴＣ）又は点火電極（Ｉ）の組み付け作業を行なうことができる。
【００１５】
先ず、第１屈曲板と中央起立板の境界のコーナ部内面に炎検知器（ＴＣ）又は点火電極（Ｉ）を当接させた状態で、第１屈曲板の透孔にバネ部材の一端を挿通する。
【００１６】
次に、中央起立板の上辺又は下辺に開放するバネ挿通口の上端又は下端の開放部から、バネ部材の長手方向の中央部を挿入する。
【００１７】
その後、第２屈曲板と中央起立板の境界のコーナ部に残余の点火電極（Ｉ）又は炎検知器（ＴＣ）を当接させ、この状態で、バネ部材の他端を、第２屈曲板の先端に開放する水平スリット部に沿ってその奥側に移動させ、更にその奥端部からバネ係合スリット部に沿って上下に移動させると、該バネ部材の他端が第２屈曲板に係合保持される。これにより、第１屈曲板と第２屈曲板の夫々と前記中央起立板との境界の各コーナ部内面と前記バネ部材によって、前記炎検知器（ＴＣ）と点火電極（Ｉ）が各別に挟圧保持された状態になる。
【００１８】
［３項］
前記１項に於いて、
『前記バネ挿通口は、前記中央起立板の上辺又は下辺に開放しており、
前記第１係合部は、前記第１屈曲板に形成され且つ前記バネ挿通口の前記開放方向と同方向に開放する上下スリット部と、該上下スリット部の奥端部から横方向へ延長されたバネ係合スリット部とから構成されており、
前記第２係合部は、前記第２屈曲板に形成され且つ前記バネ挿通口の前記開放方向と同方向に開放する上下スリット部と、該上下スリット部の奥端部から横方向へ延長されたバネ係合スリット部とから構成されている』ものとすることができる。
このものでは、中央起立板に形成されたバネ挿通口と、第１，第２屈曲板の夫々に形成された上下スリット部は同方向（上辺側又は下辺側）に開放している。従って、中央起立板と第１，第２屈曲板の境界部の各コーナ部内面に炎検知器（ＴＣ）と点火電極（Ｉ）を当接させた状態で、上記バネ挿通口と各上下スリット部に、バネ部材の中央部及び両端近傍を上下方向からスライドさせるように押し込むことができる。そして、バネ部材の両端近傍が、第１，第２屈曲板に形成された上下スリットの奥端部から横方向へ延長されたバネ係合スリット部に到達したときに、該バネ部材がその復元力によって初期形状に復帰しようとし、これにより、バネ係合スリット部内に係合する。これにより、炎検知器（ＴＣ）と点火電極（Ｉ）がバネ部材で止め板に固定される。
【００１９】
［４項］
前記１項〜３項に於いて、
『前記バネ部材は、一端が折り返されてツマミ部となった線状バネである』ものでは、ツマミ部を摘んで線状バネを取り扱うことができるから、ツマミ部を有しない単純な線状バネに比べて取り扱いが容易に行なえる。
【００２０】
［５項］
前記１項〜３項に於いて、
『前記バネ部材は、二本の平行な直線部の一端が繋がったＵ字状バネである』ものでは、二本の直線部で炎検知器（ＴＣ）及び点火電極（Ｉ）を止め板側に押圧することができる。従って、一本の線状バネの場合に比べて炎検知器（ＴＣ）及び点火電極（Ｉ）を一層安定的に固定できる。
【００２１】
［６項］
前記１項〜３項に於いて、
『前記バネ部材は、一方に長い帯状の板バネである』ものでは、バネ部材として線状バネを採用する場合に比べ、バネ部材が炎検知器（ＴＣ）や点火電極（Ｉ）の外周面に対して広い範囲に亘って接触する。従って、線状バネを採用する場合に比べて、炎検知器（ＴＣ）や点火電極（Ｉ）の安定性が一層向上する。
【００２２】
【発明の効果】
本発明は次の特有の効果を有する。
炎検知器（ＴＣ）や点火電極（Ｉ）が、第１屈曲板又は第２屈曲板と中央起立板とバネ部材の三者で挟圧抱持されるから、既述従来のプラグホルダ（６１）（６２）の一端の開放部（点火電極（Ｉ）等の脱落原因になる部分）に相当するものが無くなり、点火電極（Ｉ）等の取付け姿勢が安定する。
【００２３】
又、棒状の炎検知器（ＴＣ）と点火電極（Ｉ）が、上記コーナ部の稜線に沿う態様で、該コーナ部に対してバネ部材によって押圧されるから、既述したように、平面部にバネ部材で押圧する構造を採用する場合に比べて、取付け姿勢が安定する。
【００２４】
炎検知器（ＴＣ）と点火電極（Ｉ）の２つの部品を単一のバネ部材で固定するから、これら炎検知器（ＴＣ）と点火電極（Ｉ）の夫々に対してプラグホルダ（６１）（６２）が各別に必要であった既述従来のものに比べて必要部品点数が少なくなる。
【００２５】
２項のものでは、バネ挿通口が中央起立板の上辺又は下辺に開放しているから、該開放部を介してバネ部材をバネ挿通口に挿通させることができる。又、バネ部材の一端は、第２屈曲板の先端に開放する第２係合部を構成する水平スリットの先端開放部から、該水平スリットにスライドさせるように押し込み、その後、前記水平スリットの奥端部に連続するバネ係合スリット部に係合させることができる。従って、バネ挿通口や第２係合部として、単純な透孔を採用する場合に比べ、バネ部材の取付け作業を円滑に行える。
【００２６】
３項のものでは、中央起立板と第１，第２屈曲板に形成されたバネ挿通口や上下スリット部に対して、バネ部材を全体的に上下方向からスライドさせるように押し込むことができるから、バネ部材の取付け作業が一層円滑に行なえる。
【００２７】
４項のものでは、ツマミ部を摘むことができるから、単純な線状バネに比べて取り扱いが容易になる。
【００２８】
５項のものでは、バネ部材として、二本の平行な直線部を備えたＵ字状バネを採用するから、一本の線状バネの場合に比べて炎検知器（ＴＣ）及び点火電極（Ｉ）を一層安定的に固定できる。
【００２９】
６項のものでは、バネ部材として帯状の板バネを採用するから、前記５項のものと同様に、一本の線状バネの場合に比べて炎検知器（ＴＣ）及び点火電極（Ｉ）の取付け姿勢が一層安定する。
【００３０】
【発明の実施の形態】
次に、上記した本発明の実施の形態を図面に従って詳述する。
《第１実施形態》
図１に示すように、本実施の形態のガスコンロに組み込まれるコンロ用バーナは、既述従来例と同様に、ベンチュリ（１）とバーナボディ（２）からなるバーナ本体（Ａ）と、前記バーナボディ（２）に載置装着されるバーナヘッド（３）を備えており、ベンチュリ（１）には、止め板（５）を介して炎検知器（ＴＣ）と点火電極（Ｉ）が取付けられている。
【００３１】
［バーナ本体（Ａ）について］
バーナ本体（Ａ）は、ベンチュリ（１）とその先端上面に載置固定されるバーナボディ（２）から構成されている。
【００３２】
＊ベンチュリ（１）について
ベンチュリ（１）は、本実施の形態では鋳物で形成されていると共に、既述従来のものと同様の構造を有している。即ち、上流端がガス入り口（１０）となった水平管部（１１）と、該水平管部（１１）の下流端から上方に屈曲する円筒状頭部（１２）を具備しており、該円筒状頭部（１２）の頂面にバーナボディ載置面（１２０）が形成されている。そして、円筒状頭部（１２）の側壁には、後述の炎検知器（ＴＣ）と点火電極（Ｉ）を取付ける為の止め板（５）がビス（１５）（１５）で固定されるようになっている。
【００３３】
又、上記円筒状頭部（１２）の上面にはバーナボディ（２）を固定するためのネジ孔（１１１）（１１１）が形成されていると共に、該円筒状頭部（１２）の側壁には、止め板（５）を固定するためのネジ孔（１４０）（１４０）を具備する柱体（１４）（１４）が突設されている。
【００３４】
＊止め板（５）について
止め板（５）は、略正方形に形成された中央起立板（５４）の水平方向の両端部に於いて互いに表裏反対方向に直角に屈曲する矩形状の第１屈曲板（５５）と第２屈曲板（５６）を備えている。
【００３５】
中央起立板（５４）には、上辺（下辺でも良い）に開放するスリット状のバネ挿通口（５４０）が開設されていると共に、該バネ挿通口（５４０）の上下深さは、中央起立板（５４）の上下幅より若干大きい寸法に設定されている。
【００３６】
第１屈曲板（５５）の屈曲方向の先端近傍には、既述第１係合部たる透孔（５５０）が形成されていると共に、該透孔（５５０）には、バネ部材（４）たる線状バネの一端が挿抜自在に挿入されるようになっている。又、該バネ部材（４）の他端は、Ｕ字状に折り返されてツマミ部（４１）となっている。
【００３７】
第２屈曲板（５６）には、水平方向の先端に開放する水平スリット部（５６０）と、これの奥端部から上方（下方でもよい）に屈曲するバネ係合スリット部（５６１）が形成されており、これら、水平スリット部（５６０）やバネ係合スリット部（５６１）の組合せが既述発明特定事項たる第２係合部に対応している。
【００３８】
又、第１，第２屈曲板（５５）（５６）の上辺からは、ネジ挿通孔（５５ｂ）（５６ｂ）を有する水平片（５５ａ）（５６ａ）が同方向に屈曲延長されている。そして、上記ネジ挿通孔（５５ｂ）（５６ｂ）相互の間隔は、ベンチュリ（１）の円筒状頭部（１２）の側壁に突設された柱体（１４）（１４）の上端に開放するネジ孔（１４０）（１４０）相互の間隔に一致している。
【００３９】
＊バーナボディ（２）について
上記ベンチュリ（１）の円筒状頭部（１２）に取付けられるバーナボディ（２）は、本実施の形態では真鍮等の金属で製作されており、その構造は既述従来のものと同様に構成されているので、既に説明した構成の記載は、これを援用する。
【００４０】
バーナボディ（２）の上面中央に突設されたバーナヘッド装着筒（２１）の上端面は、中心に向かって低くなっており、これにより、バーナヘッド（３）を載置する為のバーナヘッド歯載置面（２４）及び補助歯載置面（２４ａ）が形成されている。そして、バーナヘッド（３）を載置することにより後述の歯（３１）や補助歯（３２）で点火用炎孔等が形成される。又、バーナヘッド装着筒（２１）の内周壁には、バーナボディバーナヘッド（３）の周方向の位置決めを行なう為の係合溝（２２）が形成されており、該係合溝（２２）には、後述のバーナヘッド（３）の下面に突設された位置決め突起（３５）が嵌入するようになっている。
【００４１】
又、バーナボディ（２）の中心部に開設されたガス通過口（２６）を跨ぐ中央ブリッジ（２７）には、中心軸（２８）が立設されており、該中心軸（２８）には後述するバーナヘッド（３）の底面に突設された中央筒（３３）が遊嵌するようになっている。更に、バーナヘッド装着筒（２１）の底壁（２５）には、バーナボディ（２）をベンチュリ（１）に固定する為の後述の取付ビス（２０）（２０）を挿入する挿通孔（２５０）（２５０）が開設されている。
【００４２】
［バーナヘッド（３）について］
上記バーナボディ（２）に載置装着されるバーナヘッド（３）は、本実施の形態では真鍮等の金属で製作されている。このバーナヘッド（３）は、既述従来のものと同様に構成されている。即ち、バーナヘッド（３）の下面には、バーナボディ（２）の上面の中心軸（２８）に遊嵌する中央筒（３３）と、その外側の炎孔形成用の歯（３１）（３１）と、点火及び炎監視用の炎孔を形成する補助歯（３２）（３２）と、後述の点火電極（Ｉ）に対応する放電用ターゲット（３４）と、更に、位置決め用突起（３５）が設けられている。そして、位置決め突起（３５）がバーナボディ（２）側の係合溝（２２）に嵌入したとき、炎検知器（ＴＣ）と補助歯（３２），点火電極（Ｉ）と放電用ターゲット（３４）が対向する状態に位置決めされる。
尚、バーナヘッド（３）の下面に形成された補助歯（３２）は、補助歯載置面（２４ａ）に載置される。
【００４３】
［組み立て作業］
本実施の形態に係るガスコンロは、該ガスコンロのケーシング（図示せず）とこれに組み込まれる上記コンロ用バーナを備えている。
【００４４】
次に、上記各部品を用いてコンロ用バーナを組み立てる作業を説明する。
先ず、事前に、止め板（５）に炎検知器（ＴＣ）と点火電極（Ｉ）を組み付ける。
具体的には、止め板（５）を構成する中央起立板（５４）と第１屈曲板（５５）の境界部のコーナ部内面に炎検知器（ＴＣ）を沿わせ、この状態で、バネ部材（４）の直線部（４０）の先端を第１屈曲板（５５）の透孔（５５０）に挿入した後、該直線部（４０）を炎検知器（ＴＣ）の外周溝（Ｆ）に嵌めると共に、該直線部（４０）を中央起立板（５４）のバネ挿通口（５４０）に上方から挿入する。すると、バネ部材（４）の弾性により、中央起立板（５４）と第１屈曲板（５５）の境界部のコーナ部内面とバネ部材（４）で炎検知器（ＴＣ）が挟圧保持された状態になる。即ち、炎検知器（ＴＣ）が、上記コーナ部の稜線に沿う態様で、該コーナ部に対してバネ部材（４）によって押圧される。
【００４５】
次に、止め板（５）を構成する中央起立板（５４）と第２屈曲板（５６）の境界部のコーナ部内面に点火電極（Ｉ）を沿わせ、この状態で、バネ部材（４）の直線部（４０）を水平スリット部（５６０）からバネ係合スリット部（５６１）に移動させると、点火電極（Ｉ）の外周溝（Ｇ）に上記直線部（４０）が嵌入する。すると、バネ部材（４）の弾性により、中央起立板（５４）と第２屈曲板（５６）の境界部のコーナ部内面とバネ部材（４）で点火電極（Ｉ）が挟圧保持された状態になる。即ち、点火電極（Ｉ）が、上記コーナ部の稜線に沿う態様で、該コーナ部に対してバネ部材（４）によって押圧される。
【００４６】
従って、本実施の形態では、上下に長い棒状の炎検知器（ＴＣ）と点火電極（Ｉ）が、上記コーナ部内面の稜線に沿う態様で、該コーナ部に対してバネ部材によって押圧されるから、平面部にバネ部材で押圧する構造を採用する場合に比べて、取付け姿勢が安定する。
【００４７】
又、炎検知器（ＴＣ）と点火電極（Ｉ）の２つの部品を単一のバネ部材（４）で固定するから、これら炎検知器（ＴＣ）と点火電極（Ｉ）の夫々に対してプラグホルダ（６１）（６２）が各別に必要であった既述従来のものに比べて必要部品点数が少なくなる。
【００４８】
次に、炎検知器（ＴＣ）と点火電極（Ｉ）が取付けられた止め板（５）をベンチュリ（１）に固定する。具体的には、止め板（５）の上辺から水平方向に屈曲する水平片（５５ａ）（５６ａ）に開設されたネジ挿通孔（５５ｂ）（５６ｂ）部分を、これに対応するベンチュリ（１）側の柱体（１４）（１４）のネジ孔（１４０）（１４０）部分に重ね合わせ、該重ね合わせ部をビス（１５）（１５）で固定する。
【００４９】
次に、ベンチュリ（１）の円筒状頭部（１２）に形成されたネジ孔（１１１）（１１１）に対して、バーナボディ（２）に貫設された取付ビス（２０）用の挿通孔（２５０）（２５０）を合致させ、この部分に取付ビス（２０）（２０）を螺入して締め付ける。
【００５０】
その後、バーナヘッド（３）の下面の中央筒（３３）をバーナボディ（２）の中心軸（２８）に遊嵌させる。このとき、バーナヘッド（３）の下面外周側に突設された位置決め突起（３５）を、これに対応するバーナボディ（２）側の係合溝（２２）に嵌入させ、これにより、バーナヘッド（３）の周方向の位置決めを行なう。すると、バーナヘッド（３）の下面の（３４）が点火電極（Ｉ）の上端に対向すると共に、炎監視用の炎孔を形成する補助歯（３２）（３２）部分が炎検知器（ＴＣ）の上端に対向し、これにより、本実施の形態に適用されるコンロ用バーナが完成する。
尚、水平スリット部（５６０）とバネ係合スリット部（５６１）の組、及び、バネ挿通口（５４０）の夫々に代えて、単純な透孔を形成してもよい。
【００５１】
《第２実施形態》
第２実施形態のガスコンロに適用されるコンロ用バーナは、止め板（５）の構造を除いて既述第１実施形態と同様に構成されている。
図２に示すように、この第２実施形態に用いられる止め板（５）の中央起立板（５４）には、上辺（下辺でも良い）に開放するバネ挿通口（５４０）が形成されていると共に、中央起立板（５４）の水平方向の一端から屈曲する第１屈曲板（５５）には、バネ挿通口（５４０）と同方向に開放する上下スリット部（５５２）とその奥端部から９０度以上（本実施の形態では９０度）屈曲する方向に延長されたバネ係合スリット部（５５３）が設けられており、これら上下スリット部（５５２）とバネ係合スリット部（５５３）によって、既述３項の発明特定事項たる第１係合部が構成されている。又、中央起立板（５４）の水平方向の他端から屈曲する第２屈曲板（５６）にも、上記上下スリット部（５５２）及びバネ係合スリット部（５５３）と同様な上下スリット部（５６２）とバネ係合スリット部（５６３）が形成されている。尚、上下スリット部（５６２）からのバネ係合スリット部（５６３）の屈曲方向は、第１屈曲板（５５）に形成された上下スリット部（５５２）からのバネ係合スリット部（５５３）の屈曲方向と逆方向に設定されている。バネ部材（４）が直線状の初期形状に復帰する際に、その両端がバネ係合スリット部（５５３）（５６３）の奥側に付勢されて自然に係合し得るようにするためである。
【００５２】
このものでは、中央起立板（５４）の上辺に開放するバネ挿通口（５４０）と、第１，第２屈曲板（５５）（５６）の夫々に形成された上下スリット部（５５２）（５６２）は同方向（上辺側又は下辺側）に開放している。従って、中央起立板（５４）と第１，第２屈曲板（５５）（５６）の境界部のコーナ部内面に炎検知器（ＴＣ）と点火電極（Ｉ）を当接させた状態で、上記バネ挿通口（５４０）と各上下スリット部（５５２）（５６２）に、バネ部材（４）の直線部（４０）の中央部及び両端を上方からスライドさせる態様で押し込むことができる。そして、バネ部材（４）の両端が、上下スリット部（５５２）（５６２）の下端まで降下すると、該バネ部材（４）の復元力によってこれが直線形状に復帰しようとし、これにより、該直線部（４０）の両端部がバネ係合スリット部（５５３）（５６３）に係合して炎検知器（ＴＣ）と点火電極（Ｉ）が止め板（５）に取付けられる。
【００５３】
このものでは、中央起立板（５４）と第１，第２屈曲板（５５）（５６）に形成されたバネ挿通口（５４０）や上下スリット部（５５２）（５６２）に対して、バネ部材（４）を全体的に上下方向からスライドさせるように押し込むことができるから、バネ部材（４）の取付け作業が一層円滑に行える。
【００５４】
《第３実施形態》
第３実施形態のガスコンロに適用されるコンロ用バーナは、止め板（５）とバネ部材（４）の構造を除いて既述第１実施形態と同様に構成されている。
図３に示すように、この第３実施形態に用いられる止め板（５）の中央起立板（５４）には、上辺（下辺でも良い）に開放するバネ挿通口（５４０）が形成されていると共に、中央起立板（５４）の水平方向の一端から屈曲する第１屈曲板（５５）には、バネ挿通口（５４０）と同方向に開放する上下スリット部（５５２）とその奥端部近傍から９０度以上（本実施の形態では９０度）屈曲する方向に延長された平行な二本のバネ係合スリット部（５５３’）（５５３’）が設けられており、これら上下スリット部（５５２）とバネ係合スリット部（５５３’）（５５３’）によって、既述３項の発明特定事項たる第１係合部が構成されている。又、中央起立板（５４）の水平方向の他端から屈曲する第２屈曲板（５６）にも、上記上下スリット部（５５２）及びバネ係合スリット部（５５３’）（５５３’）と同様な上下スリット部（５６２）とバネ係合スリット部（５６３’）（５６３’）形成されている。尚、上下スリット部（５６２）からのバネ係合スリット部（５６３’）（５６３’）の屈曲方向は、第１屈曲板（５５）に形成された上下スリット部（５５２）からのバネ係合スリット部（５５３’）（５５３’）の屈曲方向と逆方向に設定されている。
【００５５】
一方、バネ部材（４）としては、二本の平行な直線部（４０’）（４０’）の一端が繋がったＵ字状バネが採用されている。
このものでは、既述第２実施形態と同様に、バネ部材（４）の直線部（４０’）（４０’）を上下スリット部（５５２）（５６２）及びバネ挿通口（５４０）の上端開放部から下方に押し込むと、前記直線部（４０’）（４０’）がバネ係合スリット部（５５３’）（５５３’）（５６３’）（５６３’）に係合し、これにより、該直線部（４０）の両端部がバネ係合スリット部（５５３’）（５５３’）（５６３’）（５６３’）に係合して炎検知器（ＴＣ）と点火電極（Ｉ）が止め板（５）に取付けられる。
【００５６】
このものでは、二本の直線部（４０’）（４０’）で炎検知器（ＴＣ）及び点火電極（Ｉ）を止め板側に押圧することができるから、一本の線状バネの場合に比べてこれら炎検知器（ＴＣ）及び点火電極（Ｉ）の取付け姿勢が一層安定する。
【００５７】
尚、上下スリット部（５５２）とバネ係合スリット部（５５３’）（５５３’）の組、上下スリット部（５６２）とバネ係合スリット部（５６３’）（５６３’）の組、及び、バネ挿通口（５４０）の夫々に代えて、バネ部材（４）の直線部（４０’）（４０’）を各別に挿通させる為の２つの単純な透孔を形成してもよい。
【００５８】
《その他》
▲１▼．第３実施形態では、第１屈曲板（５５）に上下スリット部（５５２）とその奥端部から屈曲するバネ係合スリット部（５５３’）（５５３’）によって、バネ部材（４）を係合させる為の第１係合部を構成しているが、バネ部材（４）の直線部（４０’）（４０’）の先端を各別に挿通させる為の、２個の透孔を第１屈曲板（５５）に開設してもよい。
【００５９】
▲２▼．上記各実施の形態では、バネ部材（４）として線状のバネを採用したが、図４に示すように、バネ部材（４）として帯状の板バネを採用してもよい。このようにすると、バネ部材（４）と点火電極（Ｉ）や炎検知器（ＴＣ）の接触面積が大きくなり、これにより、これら点火電極（Ｉ）等の安定性が一層向上する。
【００６０】
▲３▼．上記いずれの実施の形態でも止め板（５）をコンロ用バーナのバーナ本体（Ａ）に固定したが、前記止め板（５）をガスコンロのケーシングの内壁やその他の固定壁に固定してもよい。
【図面の簡単な説明】
【図１】本発明の第１実施形態を説明するコンロ用バーナの分解斜視図
【図２】第２実施形態を説明する炎検知器（ＴＣ）等の取付部の斜視図
【図３】第３実施形態を説明する炎検知器（ＴＣ）等の取付部の斜視図
【図４】他の実施形態を説明する炎検知器（ＴＣ）等の取付部の斜視図
【図５】従来例の説明図
【符号の説明】
（４）・・・バネ部材
（５）・・・止め板
（４０）（４０’）・・・直線部
（４１）・・・ツマミ部
（５４）・・・中央起立板
（５５）・・・第１屈曲板
（５６）・・・第２屈曲板
（５４０）・・・バネ挿通口
（５５０）・・・透孔
（５５２）（５６２）・・・上下スリット部
（５６０）・・・水平スリット部
（５５３）（５６３）（５５３’）（５６３’）・・・バネ係合スリット部
（Ａ）・・・バーナ本体
（Ｉ）・・・点火電極
（ＴＣ）・・・炎検知器
【図１】
2004317076.tif 000003
【図２】
2004317076.tif 000004
【図３】
2004317076.tif 000005
【図４】
2004317076.tif 000006
【図５】
2004317076.tif 000007